(57)【要約】      （修正有）【課題】小型かつ簡便な杭の除去アタッチメントを提供する。【解決手段】除去アタッチメントは、杭４０の上端部の周囲の土を除去する第１バケツ１０と、杭４０の上端部４０ａを切断する第２バケツ２０とを包含し、前記第１バケツ１０は、第１係合部から入力され第１円筒部を回転させる回転力で前記上端部の周囲の土を堀り削る掘削機構を備え、前記第２バケツ２０は、上端部の周囲の土が除去された部位において第２係合部から入力され第２円筒部を回転させる回転力で前記杭４０を切断する刃と、回転力で刃を前記杭の中心に向って食い込ませながら前記刃を前記杭の周方向に回転させる切断機構とを備えている。【選択図】図２
0003156209.tif 000002
【実用新案登録請求の範囲】
【請求項１】
地盤に打ち込まれた杭を上端部から順次切断して除去するための除去アタッチメントであって、
前記除去アタッチメントは、前記杭の上端部の周囲の土を除去する第１バケツと、前記第１バケツにより前記杭の周囲の土が除去された部分に挿入され前記杭の上端部を切断する第２バケツとを包含し、
前記第１バケツは、前記杭の外径よりも大きい第１内径を有し前記杭の上端部に被せられる円筒状の第１円筒部と、前記第１円筒部の上端に配置された第１天板部と、前記第１天板部に固定され上方に開口する第１係合部と、前記第１係合部から入力され前記第１円筒部を回転させる回転力で前記上端部の周囲の土を堀り削る掘削機構とを備え、
前記第２バケツは、前記杭の外径よりも大きい第２内径および前記第１バケツの外径よりも小さい第２外径を有し前記土が掘削された前記杭の上端部に被せられる円筒状の第２円筒部と、前記第２円筒部の上端に配置された第２天板部と、前記第２天板部に回動自在に設けられ上方に開口する第２係合部と、前記上端部の周囲の土が除去された部位において前記第２係合部から入力され前記第２円筒部を回転させる回転力で前記杭を切断する刃と、前記回転力で前記刃を前記杭の中心に向って食い込ませながら前記刃を前記杭の周方向に回転させる切断機構とを備えた、
杭の除去アタッチメント。
【考案の詳細な説明】
【技術分野】
【０００１】
本考案は杭の除去アタッチメントに関するものである。
【背景技術】
【０００２】
建造物を取り壊して更地にする際に、建造物の基礎を構成する地盤に打ち込まれた杭を取り除く必要がある。そこで、従来より、前記杭に用いられた鉄筋入りのコンクリート製の杭を除去する工法が提案されている。（特許文献１参照）。
【先行技術文献】
【特許文献】
【０００３】
【特許文献１】特公平６−２９５１９号（第４図）
【考案の概要】
【０００４】
しかし、前記特許文献１の方法では、水を高圧で吹きつけながら、ケーシングを杭の下端まで地中に挿入する必要があるので、大規模な機器と、多大な労力および時間を要する。
【０００５】
一方、ハンマーグラブ等を用いて杭を少しづつちぎって除去する方法がある。
しかし、鉄筋入りのコンクリート製の杭をちぎるには多大な出力を要すると共に、杭中の鉄筋が曲がってしまい、ハンマーグラブ内に前記鉄筋が納まらないなど種々の不具合が発生することが多い。
【０００６】
したがって、本考案の目的は、小型かつ簡便な杭の除去アタッチメントを提供することである。
【０００７】
前記目的を達成するために、本考案に係るある杭の除去アタッチメントは、地盤に打ち込まれた杭を上端部から順次切断して除去するための除去アタッチメントであって、前記除去アタッチメントは、前記杭の上端部の周囲の土を除去する第１バケツと、前記第１バケツにより前記杭の周囲の土が除去された部分に挿入され前記杭の上端部を切断する第２バケツとを包含し、前記第１バケツは、前記杭の外径よりも大きい第１内径を有し前記杭の上端部に被せられる円筒状の第１円筒部と、前記第１円筒部の上端に配置された第１天板部と、前記第１天板部に固定され上方に開口する第１係合部と、前記第１係合部から入力され前記第１円筒部を回転させる回転力で前記上端部の周囲の土を堀り削る掘削機構とを備え、前記第２バケツは、前記杭の外径よりも大きい第２内径および前記第１バケツの外径よりも小さい第２外径を有し前記土が掘削された前記杭の上端部に被せられる円筒状の第２円筒部と、前記第２円筒部の上端に配置された第２天板部と、前記第２天板部に回動自在に設けられ上方に開口する第２係合部と、前記上端部の周囲の土が除去された部位において前記第２係合部から入力され前記第２円筒部を回転させる回転力で前記杭を切断する刃と、前記回転力で前記刃を前記杭の中心に向って食い込ませながら前記刃を前記杭の周方向に回転させる切断機構とを備えている。
【０００８】
本考案によれば、第１バケツによって周囲の土を取り除かれた杭は、その上端部に第２バケツが被せられ、該第２バケツの刃の回転によって切断される。
そのため、前記杭中の鉄筋が曲がることなく切断される。したがって、鉄筋をちぎる場合とは異なり、バケツを小型軽量に構成することができる。
また、第２バケツの刃の回転により杭を切断するので、鉄筋をちぎる場合に比べ、小さな力で杭を切断することができると共に、曲がった鉄筋が邪魔をして第２バケツ内に杭の上端部が入らないなどの不具合が発生しない。
【０００９】
前記第１および第２バケツの高さは２〜３ｍに設定するのが好ましい。かかる高さに設定することで、前記杭が２〜３ｍづつ複数回に渡って切断され、順次引き上げられて除去されるので、小型かつ簡便な装置により作業を行うことができる。
【図面の簡単な説明】
【００１０】
【図１】本考案の実施例１にかかる杭の除去方法を示す工程図である。
【図２】同杭の除去方法を示す工程図である。
【図３】第１バケツを示す一部破断した概略斜視図である。
【図４】第１バケツを示す概略平面図である。
【図５】第２バケツを示す一部破断した概略斜視図である。
【図６】第２バケツの切断機構を示す概略平面図である。
【実施例１】
【００１１】
以下、本考案にかかる杭の除去アタッチメントの一実施例について説明する。
図１Ａおよび図２Ａに示すように、本アタッチメントは、アースオーガー１と呼ばれる専用のクレーンに吊り下げられたケリーバ４の下端部に取り付けられて用いられるものである。前記アタッチメントは、図３および図４に示すように、第１バケツ１０と第２バケツ２０からなる。
【００１２】
アースオーガー１：
図１Ａに示すように、アースオーガー１のブーム２には、ロープ３を介してケリーバ４が取り付けられている。前記ケリーバ４は、アースオーガー１の回転アーム５に取り付けられており、回転アーム５によって、図１Ａ〜図１Ｃに示すように、回転しながら上下動可能に設定されている。
【００１３】
第１バケツ１０：
前記第１バケツ１０は、前記ケリーバ４の下端部に取り付けられ、図１Ａ〜図１Ｃに示すように、地盤５０に打ち込まれた杭４０の上端部４０ａの周囲の土を除去するためのものである。
【００１４】
図１Ａおよび図１Ｂに示すように、第１バケツ１０は回転しながら杭４０の上端部４０ａの周囲の土内に挿入され、図１Ｃに示すように、杭４０の上端部４０ａの土を除去するものである。
【００１５】
図３に示すように、前記第１バケツ１０は、第１円筒部１１、第１天板部１２および第１係合部１３を有している。
第１天板部１２は前記第１円筒部１１の上端に配置され、第１係合部１３は前記第１天板部１２に固定されて上方に開口している。前記第１係合部１３には、第１バケツ１０を前記ケリーバ４の下端部に固定するためのロックピン（図示せず）を挿入するための挿入孔１３ａが形成されている。
【００１６】
図４に示すように、第１バケツ１０は、二点鎖線で示す杭４０の外径Ｄ０よりも大きい第１内径Ｄ１を有している。
【００１７】
図３に示すように、前記第１円筒部１１の内部には、掘削板１４が螺旋状に形成されている。前記掘削板１４は、図４に示す杭４０の周囲の土を掘り削るものであり、該杭４０の周囲に沿って形成されている。
なお、図３の二点鎖線に示すように、第１円筒部１１の下端部には、多数の第１爪部１５が形成されている。
【００１８】
前第１係合部１３から入力され第１円筒部１１を回転させる回転力によって、第１バケツ１０が回転されると共に、ケリーバ４が押し下げられることにより第１バケツ１０が下降される。第１バケツ１０の回転により、杭４０の周囲の土が堀り削られ、前記第１爪部１５によって第１円筒部１１の周囲が堀り削られると共に、掘削板１４が杭４０の上端部４０ａの周囲の周囲の土に食い込み、図４に示す杭４０と掘削板１４との間に堀り削られた土が溜まる。
【００１９】
前記掘削後、図１Ｃに示すように、前記堀り削られた土が掘削板１４上に載置された状態で排出される。
したがって、図３に示す掘削板１４および第１爪部１５は、杭４０の上端部４０ａの周囲の土を堀り削る掘削機構を構成している。
【００２０】
第２バケツ２０：
図２Ａ〜図２Ｃに示すように、第２バケツ２０は、前記第１バケツ１０（図１）によって杭４０の周囲の土が除去された部分に挿入され、杭４０の上端部４０ａを切断するもののである。
【００２１】
図５に示すように、第２バケツ２０は、円筒状の第２円筒部２１、第２円筒部２１の上端に配置された第２天板部２２、および第２天板部２２に対して回動自在に設けられた第２係合部２３を有している。前記第２係合部２３には、第１バケツ１０を前記ケリーバ４（図２Ａ）の下端部に固定するためのロックピン（図示せず）を挿入するための挿入孔２３ａが形成されている。
なお、第２円筒部２１の下端部には複数の第２爪部１５が設けられている。
【００２２】
図６Ａに示すように、第２バケツ２０は、二点鎖線で示す杭４０の外径Ｄ０よりも大きい第２内径Ｄ２を有しており、かつ、二点鎖線で示す第１バケツ１０の外径Ｄ１１よりも小さい第２外径Ｄ２２を有している。
【００２３】
切断機構；
図５に示すように、前記第２バケツ２０内には、ノコギリ状の刃３５を有する一対のノコ部３４が設けられている。ノコ部３４には、第２円筒部２１に沿って略垂直に立ち上がる回動軸３３が固定されている。回動軸３３の回動により、ノコ部３４が実線の初期位置から二点鎖線で示す切断位置まで移動される。
【００２４】
第２バケツ２０には前記回動軸３３を回動するためのリンク機構が設けられている。
図６Ａに示すように、前記第２係合部２３には、網点で示す駆動端部３０が固定されている。前記駆動端部３０には、アーム３１を介してクランク３２が回動自在に設けられている。前記クランク３２には、回動軸３３（図５）の上端部３３ａが固定されている。
【００２５】
第２係合部２３から入力された第２円筒部２１を回転させる回転力により第２係合部２３が矢印方向に回転すると共に、駆動端部３０が回転し、アーム３１が外方に向って移動してクランク３２を回動させる。クランク３２の回動により、ノコ部３４は、図６Ａに示す開状態から、図６Ｂに示す閉状態まで移動される。
【００２６】
すなわち、図２Ｂに示すケリーバ４が回転されることにより、該ケリーバ４の下端部に固定された第２係合部２３が、図６Ａに示す矢印方向に回動され、前記リンク機構を介して刃３５が杭４０方向に移動して該杭４０に食い込みながら、第２円筒部２１（図５）自体が回転される。刃３５が杭４０の周囲を回転しながら、徐々に杭４０に食い込み、図６Ｂに示す閉状態まで前記刃３５が移動される。
【００２７】
すなわち、第２係合部２３から入力された第２円筒部２１を回転させる回転力により前記ノコ部３４が移動し、刃３５が杭４０を切断する。
したがって、ノコ部３４、回動軸３３および前記リンク機構は、前記回転力により刃３５を杭４０の中心に向って食い込ませながら、刃３５を杭４０の周方向に回転させる切断機構を構成している。
なお、一対の刃３５同士が互いに接触するのを防止するために、駆動端部３０を所定角度で停止させるためのストッパ３６が第２天板部２２に固定されている。
これは、杭４０内の鉄筋が切断されることで、大きな力を加えることなく杭４０の上端部４０ａを杭４０から切り離すことができるので、一対の刃３５同士が互いに接する程近接する必要はないからである。
【００２８】
杭の切断方法：
まず、図１Ａに示すように、ケリーバ４の下端部に第１バケツ１０を取り付け、第１バケツ１０を回転させながら下降させて、図１Ｂに示すように、杭４０の上端部４０ａの先端部分が第１バケツ１０内に納まるように掘削を行う。
なお、たとえば、ベントナイト液などを掘削する地盤５０にしみ込ませて孔壁の保護を行うのが好ましい。
【００２９】
図１Ｃに示すように、前記掘削後、回転アーム５を上昇させると、ケリーバ４の下端部に固定された第１バケツ１０内に杭４０の上端部４０ａが入った状態で引き上げられ、第２バケツ２０を挿入するための挿入孔５１が形成される。
【００３０】
前記除去後、図２Ａに示すように、ケリーバ４の下端部に第２バケツ２０を取り付け、図２Ｂに示すように、前記挿入孔５１内に第２バケツ２０を挿入し、第２バケツ２０内に杭４０の上端部４０ａが収容された状態で、第２係合部２３を回転させる。前記回転によって、第２円筒部２１が回転しながら、図５に示す刃３５が二点鎖線に示す切断位置まで移動して杭４０を切断する。
【００３１】
前記切断後、図２Ｃに示すように、回転アーム５を上昇させて切断された杭４０の上端部４０ａを取り除く。
その後、図２Ｃの二点鎖線で示すように、ケリーバ４の下端部に第１バケツ１０を取り付け掘削を行った後、第２バケツ２０による杭４０の切断を順次繰り返す。
【００３２】
なお、前述の実施例では第１バケツ１０の掘削板１４を２枚としたが、第１バケツ１０は１枚であってもよいし、３枚以上であってもよい。
また、第２バケツ２０のノコ部３４は１枚であってもよいし、３枚以上であってもよい。
【産業上の利用可能性】
【００３３】
本考案の杭の除去アタッチメントは、建造物の基礎を構成する杭の除去に用いることができる。
【符号の説明】
【００３４】
１０：第２バケツ（除去アタッチメントの一部）
１１：第１円筒部
１２：第１天板部
１３：第１係合部
１４：掘削板（掘削機構の一部）
１５：第１爪部（掘削機構の一部）
２０：第２バケツ２０（除去アタッチメントの一部）
２１：第２円筒部
２２：第２天板部
２３：第２係合部
３０：駆動端部（切断機構の一部）
３１：アーム（切断機構の一部）
３２：クランク（切断機構の一部）
３３：回動軸（切断機構の一部）
３４：ノコ部（切断機構の一部）
３５：刃
４０：杭
５０：地盤
Ｄ０：杭の外径
Ｄ１：第１内径
Ｄ２：第２内径
Ｄ１１：第１バケツの外径
Ｄ２２：第２外径
【図１】
0003156209.tif 000003
【図２】
0003156209.tif 000004
【図３】
0003156209.tif 000005
【図４】
0003156209.tif 000006
【図５】
0003156209.tif 000007
【図６】
0003156209.tif 000008